(57)【要約】【課題】正確かつ簡易に一目刺し用の目印を記すことである。【解決手段】  本発明に係るテンプレート１０は、板状の本体１２と、本体１２の表面２０から裏面２２に向かって開けられた複数の貫通穴１４とを備える。複数の貫通穴１４は、本体１２上において、予め定められた１つの方向を第１の方向Ｘとし、第１の方向Ｘと交差する方向を第２の方向Ｙとするとき、第１の方向Ｘに平行であって互いに等間隔を保った第１の線群２４ｘと、第２の方向Ｙに平行であって互いに等間隔を保った第２の線群２４ｙとの交点に開けられている。【選択図】図１
2018071033.tif 000002
【特許請求の範囲】
【請求項１】
板状の本体と、
前記本体の表面から裏面に向かって開けられた複数の貫通穴と、を備え、
前記複数の貫通穴は、前記本体上において、予め定められた１つの方向を第１の方向とし、前記第１の方向と交差する方向を第２の方向とするとき、前記第１の方向に平行であって互いに等間隔を保った第１の線群と、前記第２の方向に平行であって互いに等間隔を保った第２の線群との交点に開けられている、テンプレート。
【請求項２】
前記本体は、透明または半透明な材料で構成されている、
請求項１に記載のテンプレート。
【請求項３】
前記貫通穴は、前記本体の表面から裏面に向かうにつれて径が小さくなってゆくテーパ穴を含む、
請求項１または２に記載のテンプレート。
【請求項４】
前記本体は四角形であり、
前記本体の外形線のうちの少なくとも１本は、前記第１の線群のうちの１本と一致し、
前記第１の線群のうちの１本と一致している前記外形線の上に開けられている前記貫通穴は、半円形の貫通穴である、
請求項１〜３のいずれか１つに記載のテンプレート。
【請求項５】
前記外形線のうちの少なくとも１本は、前記第２の線群のうちの１本と一致し、
前記第２の線群のうちの１本と一致している前記外形線の上に開けられている前記貫通穴は、半円形の貫通穴である、
請求項４に記載のテンプレート。
【請求項６】
前記外形線のうちの少なくとも１本から本体の外側に向かって延びる突起と、
前記突起を備える外形線と向かい合う外形線から本体の内側に向かって延びる凹部と、を備え、
前記突起と前記凹部とは、複数のテンプレート同士を隣接させて配置したときに勘合するように構成されている、
請求項４または５に記載のテンプレート。
【発明の詳細な説明】
【技術分野】
【０００１】  本発明は、テンプレートに関する。
【背景技術】
【０００２】  日本の手芸において、刺し子の手法の１つに一目刺しという手法がある。刺し子とは、糸で刺繍をすることで布等に模様を入れる手法であり、そのうち一目刺しとは、布上に引いた方眼の交点を結ぶように刺繍を施す手法である。図５は、一目刺しによる刺繍の例である。図５に示されるように、刺繍糸１０２による刺繍は、布１００に等間隔で打たれた点同士を繋ぐように施される。一目刺しにおいては、実際に布１００上にチャコペン等で等間隔の方眼線を引き、方眼線同士の交点を刺繍の目印にする。図６は、布１００上に引かれた方眼線１０４および目印１０６の例である。【０００３】  ところで、従来、方眼線１０４は、定規などを使って作業者が手作業で引いていた。しかし、上記のような定規等を使う方法では方眼線１０４の引き方が不正確になりやすく、また、方眼線１０４を引くのにも手間が掛かっていた。また、必要なのは目印１０６であって方眼線１０４は不要であるため、刺繍後に方眼線１０４を消していた。そこで、従来の方法では、方眼線１０４を消す手間も掛かっていた。
【発明の概要】
【発明が解決しようとする課題】
【０００４】  本発明は係る点に鑑みてなされたものであり、その目的は、正確かつ簡易に一目刺し用の目印を記すことである。
【課題を解決するための手段】
【０００５】  本発明に係るテンプレートは、板状の本体と、前記本体の表面から裏面に向かって開けられた複数の貫通穴を備える。前記複数の貫通穴は、前記本体上において、予め定められた１つの方向を第１の方向とし、前記第１の方向と交差する方向を第２の方向とするとき、前記第１の方向に平行であって互いに等間隔を保った第１の線群と、前記第２の方向に平行であって互いに等間隔を保った第２の線群との交点に開けられている。【０００６】  上記テンプレートによれば、布等の上に載置し、複数の貫通穴からチャコペン等を挿入することによって、正確かつ簡易に一目刺し用の目印を布等に記すことができる。複数の貫通穴は、第１の線群と第２の線群の交点に開けられているため、その配置は方眼状である。また、上記テンプレートによれば、不要な方眼線が引かれないため、方眼線を消す手間を省くことができる。【０００７】  上記テンプレートの好ましい一実施形態によれば、本体は、透明または半透明な材料で構成されていてもよい。本体が透明または半透明であることにより、テンプレートを通して目印を記すべき布等が見え、より正確かつ簡易に目印を記すことができる。【０００８】  また、貫通穴は、本体の表面から裏面に向かうにつれて径が小さくなってゆくテーパ穴を含んでいてもよい。チャコペン等の先端は通常、普通の鉛筆等と同様に尖らせている。即ち、チャコペン等の先端は、テーパ状になっている。本実施形態に係るテンプレートの貫通穴は、テーパ状になっているため、一番径の大きい表面ではチャコペン等が容易に挿入でき、かつ、布等と当接する裏面では径が一番小さいので、チャコペン等がぐらつかない。そこで、より正確な位置に目印を記すことができる。【０００９】  さらに、上記テンプレートの好ましい一実施形態によれば、本体は四角形であってもよく、本体の外形線のうちの少なくとも１本は、前記第１の線群のうちの１本と一致していてもよい。第１の線群のうちの１本と一致している外形線の上に開けられている貫通穴は、半円形の貫通穴である。上記実施形態によれば、半円形の貫通穴同士が隣接するように、複数のテンプレートを第１の方向と直交する方向に隣接させて載置することで、複数のテンプレートを、あたかも１つの大きなテンプレートのように扱うことができる。そのため、テンプレートより長い布等にも、正確かつ簡易に目印を記すことができる。【００１０】  さらに、上記テンプレートの好ましい一実施形態によれば、前記外形線のうちの少なくとも１本は、第２の線群のうちの１本と一致していてもよい。第２の線群のうちの１本と一致している外形線の上に開けられている貫通穴は、半円形の貫通穴である。上記実施形態によれば、第１の方向に直交する方向だけでなく第２の方向に直交する方向にも複数のテンプレートを隣接して配置することで、複数のテンプレートを、当該第２の方向に直交する方向にも延びる１つの大きなテンプレートのように扱うことができる。そのため、幅方向、奥行き方向ともにテンプレートより長い布等にも、正確かつ簡易に目印を記すことができる。【００１１】  さらに、上記テンプレートの好ましい一実施形態によれば、上記テンプレートは、前記外形線のうちの少なくとも１本から本体���外側に向かって延びる突起と、前記突起を備える外形線と向かい合う外形線から本体の内側に向かって延びる凹部と、を備え、前記突起と前記凹部とは、複数のテンプレート同士を隣接させて配置したときに勘合するように構成されていてもよい。突起および凹部を備えることで、複数のテンプレートを隣接させるときの位置決め精度が向上し、かつ、隣接させたテンプレート同士がずれにくくなる。
【図面の簡単な説明】
【００１２】
【図１】一実施形態に係るテンプレートの斜視図である。
【図２】図１のテンプレートのＩＩ‐ＩＩ断面図である。
【図３】複数のテンプレートを隣接して配置したときの平面図である。
【図４】突起および凹部を備えたテンプレートの平面図である。
【図５】一目刺しによる刺繍の例である。
【図６】布上に引かれた方眼および目印の例である。
【発明を実施するための形態】
【００１３】  以下、本発明の実施形態について説明する。ここで説明される実施形態は、当然ながら本発明を限定することを意図したものではない。また、同じ作用を奏する部材・部位には同じ符号を付し、重複する説明は省略または簡潔化する。
【００１４】  図１は、一実施形態に係るテンプレートの斜視図である。本実施形態において、テンプレート１０の「表面」とは、テンプレート１０を布５上に水平に載置したときの上面を意味するものとし、符号２０で表す。また、テンプレート１０の「裏面」とは、テンプレート１０を布５上に水平に載置したとき布５に当接する下面を意味するものとし、符号２２で表す。図１においては、テンプレート１０を水平に載置したときのテンプレート１０の長手（幅）方向を第１の方向Ｘとし、テンプレート１０の短手（奥行き）方向を第２の方向Ｙとする。Ｘ方向は、テンプレート１０の左右方向と一致し、図１に、左方をＬ、右方をＲで示す。Ｙ方向は、テンプレート１０の前後方向と一致し、図１に、前方をＦ、後方をＲｒで示す。図１のＵはテンプレート１０の上方、Ｄはテンプレート１０の下方である。なお、本実施形態においては、第１の方向Ｘと第２の方向Ｙは直交しているが、第１の方向Ｘと第２の方向Ｙは交差していれば足り、必ずしも直交することを要しない。また、Ｆ、Ｒｒ、Ｌ、Ｒ、Ｕ、Ｄの各方向は説明の都合上便宜的に設けた方向であって、本発明の設置態様を限定するものではない。
【００１５】  テンプレート１０の本体１２は板状であって、本実施形態にあっては、透明な材料で構成されている。透明な材料は、例えば、透明アクリルである。本体１２の平面形状は、本実施形態にあっては、左右方向に長い長方形である。図１に示した例によれば、本体１２の左右方向の長さは５５ｍｍである。また前後方向の長さは３０ｍｍである。上記左右および前後の寸法が導かれる理由については後述する。本体１２の厚さは、例えば、１ｍｍ程度である。本体１２の厚さは、市販されている材料の厚さ、使い勝手、コスト等を総合的に検討して決定されるとよい。
【００１６】  本体１０の表面２０には、第１の方向Ｘに平行であって互いに等間隔Ｌｘを保った第１の線群２４ｘと、第２の方向Ｙに平行であって互いに等間隔Ｌｙを保った第２の線群２４ｙとが想定されている。本実施形態にあっては、第１の線群２４ｘおよび第２の線群２４ｙは、仮想的な線であって実際には引かれていないが、けがき等によって実際に表面２０または裏面２２に引かれていてもよい。第１の線群２４ｘのうち一番前方Ｆ側の線は、本体１２の前方Ｆ側の外形線１８Ｆと一致している。第１の線群２４ｘのうち一番後方Ｒｒ側の線は、本体１２の後方Ｒｒ側の外形線１８Ｒｒと一致している。同様に、第２の線群２４ｙのうち一番左方Ｌ側の線は、本体１２の左方Ｌ側の外形線１８Ｌと一致しており、第２の線群２４ｙのうち一番右方Ｒ側の線は、本体１２の右方Ｒ側の外形線１８Ｒと一致している。
【００１７】  刺し子の一目刺しにあっては、目印となる方眼の間隔は、例えば、５ｍｍである。そこで、本実施形態では、第１の線群２４ｘの間の間隔Ｌｘ、および、第２の線群２４ｙの間の間隔Ｌｙは、ともに５ｍｍであるとする。しかし、第１の線群２４ｘの間の間隔Ｌｘと第２の線群２４ｙの間の間隔Ｌｙとは同じ間隔である必要はなく、異なる間隔であってもよい。図１に示す例においては、第１の線群２４ｘは、本体１２の前後の外形線１８Ｆおよび１８Ｒｒと一致する線も含めて７本想定されている。また、第２の線群２４ｙは、本体１２の左右の外形線１８Ｌおよび１８Ｒと一致する線も含めて１２本想定されている。従って、本体１２の前後方向の長さ（奥行き）は、５ｍｍ×（７−１）＝３０ｍｍであり、本体１２の左右方向の長さ（幅）は、５ｍｍ×（１２−１）＝５５ｍｍである。ただし、もちろん、第１の線群２４ｘおよび第２の線群２４ｙの本数は、図１に示した例に限定されるものではない。
【００１８】  第１の線群２４ｘと第２の線群２４ｙとの交点には、貫通穴が開けられている。第１の線群２４ｘと第２の線群２４ｙとの交点のうち本体１２の外形線１８Ｆ、１８Ｒｒ、１８Ｌ、および１８Ｒ上にあるものを除く交点上には、円形貫通穴１４が開けられている。第１の線群２４ｘと第２の線群２４ｙとの交点のうち本体１２の外形線１８Ｆ、１８Ｒｒ、１８Ｌ、および１８Ｒ上にある交点上には、半円形貫通穴１６が開けられている。図２は、図１のテンプレートのＩＩ−ＩＩ断面図である。ＩＩ−ＩＩ断面は、円形貫通穴１４および半円形貫通穴１６の中心上を通っている。円形貫通穴１４および半円形貫通穴１６の表面２０側の直径Ｄ１は、例えば、２ｍｍ程度である。円形貫通穴１４および半円形貫通穴１６は、図２に示すように、表面２０から裏面２２に向かうにつれて径が小さくなるテーパ穴になっている。円形貫通穴１４および半円形貫通穴１６の裏面２２側の直径Ｄ２は、例えば、１ｍｍ程度である。表面２０における貫通穴の直径Ｄ１および裏面２２における貫通穴の直径Ｄ２は、貫通穴に挿入するチャコペン等のサイズを考慮の上、決定されるのが好ましい。
【００１９】  布５に目印を記すにあたっては、上記テンプレート１０は、作業者が定めた布５上の位置に載置される。そして、作業者は、テンプレート１０を押さえながら、チャコペン等を円形貫通穴１６に挿入する。チャコペン等が挿入されることにより、布５上には前後左右に等間隔で配置された目印が記される。本実施形態にあっては、上記間隔は５ｍｍである。円形貫通穴１４は下方に向かって狭まるテーパ状になっているため、チャコペン等の挿入が容易であり、かつ、チャコペン等の先端のぐらつきが抑えられる。
【００２０】  半円形貫通穴１６は、複数のテンプレート１０を一度に使用するときに利用されるものである。半円形貫通穴１６は、本体１２の外形線１８Ｆ、１８Ｒｒ、１８Ｌ、および１８Ｒ上に開けられているため、別のテンプレートを隣接させることで、円形の貫通穴を構成する。図３は、複数のテンプレート１０を隣接させて配置したときの平面図である。図３においては、前後方向に２枚、左右方向に２枚の計４枚のテンプレート１０が、布５上に配置されている。隣接するテンプレート１０同士は、前方側の外形線１８Ｆと後方側の外形線１８Ｒｒとを隣接させるように、また、左方側の外形線１８Ｌと右方側の外形線１８Ｒとを隣接させるように並べられている。上記のように配置することで、４枚のテンプレート１０は、あたかも一つの大きなテンプレートであるかのように機能する。
【００２１】  以上、実施の形態について説明した。ただし、本発明に係るテンプレートは、上記実施の形態に限定されない。例えば、本発明に係るテンプレート１０の本体１２は、色付きの半透明材料で構成されていてもよい。また、例えば、図４に示すように、複数のテンプレートを隣接させて配置する場合に位置決めの役割を果たす突起２６および凹部２８を備えていてもよい。図４は、突起２６および凹部２８を備えたテンプレート１０の平面図である。突起２６は、外形線１８Ｒｒ上および外形線１８Ｒ上に設けられている。凹部２８は、外形線１８Ｆ上および外形線１８Ｌ上に設けられている。突起２６と凹部２８は、テンプレート１０同士を同じ向きで隣り合わせたときに勘合するように構成されている。図４の実施形態にあっては、突起２６および突起２８は、テンプレート１０の外形線１本につき１個であるが、テンプレート１０の外形線１本につき２個以上形成されていてもよい。突起２６および凹部２８によって、テンプレート１０同士を隣接させるときの位置決め精度が向上し、かつ、隣接させたテンプレート１０同士がずれにくい。
【００２２】  なお、本発明に係るテンプレートは、スモック刺繍などにも適用可能である。
【符号の説明】
【００２３】５    布
１０    テンプレート
１２    本体
１４    円形貫通穴
１６    半円形貫通穴
１８Ｆ、１８Ｒｒ、１８Ｌ、１８Ｒ    外形線
２０    表面
２２    裏面
２４ｘ    第１の線群
２４ｙ    第２の線群
２６    突起
２８    凹部
１００    布
１０２    刺繍糸
１０４    方眼線
１０６    目印
【図１】
2018071033.tif 000003
【図２】
2018071033.tif 000004
【図３】
2018071033.tif 000005
【図４】
2018071033.tif 000006
【図５】
2018071033.tif 000007
【図６】
2018071033.tif 000008